(57)【要約】【課題】  回転操作する際に必要な力を小さくし、かつ良好な防水性を備えた防水スイッチを提供する。【解決手段】  ノブ３と、このノブ３と連結されるスイッチユニット４と、スイッチユニット４を内蔵するケース５と、ノブ３とケース５との間に設けられるパッキン６と、を備えた防水スイッチ１において、パッキン６は、環状のベース部６１と、ベース部６１から側方に突出形成した舌片６２とを備え、ケース５は、円筒部５１を備え、ノブ３は、断面形状が円形の外周を有する固定部８１を備え、ベース部６１がノブ３の固定部８１に固定され、舌片６２がケース５の円筒部５１の上端に接するものである。【選択図】図２
2015088348.tif 000002
【特許請求の範囲】
【請求項１】
ノブと、このノブと連結されるスイッチユニットと、前記スイッチユニットを内蔵するケースと、前記ノブと前記ケースとの間に設けられるパッキンと、を備えた防水スイッチにおいて、前記パッキンは、環状のベース部と、前記ベース部から側方に突出形成した舌片とを備え、前記ケースは、円筒部を備え、前記ノブは、断面形状が円形の外周を有する固定部を備え、前記ベース部が前記ノブの固定部に固定され、前記舌片が前記ケースの円筒部の上端に接することを特徴とする防水スイッチ。
【請求項２】
前記舌片を前記ベース部の下端から突出させたことを特徴とする請求項１に記載の防水スイッチ。
【請求項３】
前記固定部に前記パッキンの抜けを防止するパッキン当接部を設けたことを特徴とする請求項１に記載の防水スイッチ。
【請求項４】
前記係止部を備えた前記固定部を前記ノブとは別部品で形成したことを特徴とする請求項１に記載の防水スイッチ。
【請求項５】
前記ノブを前記ケースに係止する係止部を前記固定部に設けたことを特徴とする請求項１に記載の防水スイッチ。
【発明の詳細な説明】
【技術分野】
【０００１】
本発明は、防水スイッチ、特に、プッシュスイッチ機能と回転機能を備えた防水スイッチに関する。
【背景技術】
【０００２】
従来の防水スイッチは、外装ケースと、この外装ケースに収納されるプッシュボタンと、回転性を有し、外装ケースを介してプッシュボタンを押圧するキートップと、外装ケースとキートップの間に配置され、防水性と弾力性を有するパッキンを有し、パッキンは、例えばシリコンゴムや軟質合成樹脂等によって形成され、下部フランジによってボスを締め付けさせ、上部フランジによって軸部を締め付けさせることで中空部を気密封止し、プッシュボタンを防水するものであった（例えば、特許文献１参照）。
【先行技術文献】
【特許文献】
【０００３】
【特許文献１】特開２００９−７０６５７号公報
【発明の概要】
【発明が解決しようとする課題】
【０００４】
従来の防水スイッチでは、下部フランジによってボスを締め付けさせ、上部フランジによって軸部を締め付けさせることで中空部を気密封止し、プッシュボタンを防水するものであったため、下部フランジや上部フランジの締め付け具合によって、スイッチを回転操作する際に大きな力で操作する場合や、あるいは、小さな力で操作可能であっても、防水性が劣るおそれがあるという問題点があった。
【０００５】
そこで、本発明は、上記問題点に鑑みてなされたものであり、回転操作する際に必要な力を小さくし、かつ良好な防水性を備えた防水スイッチを提供することを目的とする。
【課題を解決するための手段】
【０００６】
本発明の防水スイッチは、ノブと、このノブと連結されるスイッチユニットと、前記スイッチユニットを内蔵するケースと、前記ノブと前記ケースとの間に設けられるパッキンと、を備えた防水スイッチにおいて、前記パッキンは環状のベース部と前記ベース部から側方に突出形成した舌片とを備え、前記ケースは円筒部を備え、前記ノブは断面形状が円形の外周を有する固定部を備え、前記ベース部が前記ノブの固定部に固定され、前記舌片が前記ケースの円筒部の上端に接するものである。
【発明の効果】
【０００７】
本発明に係る防水スイッチによれば、回転操作する際に必要な力を小さくし、かつ良好な防水性を備えた防水スイッチを提供することができる。
【図面の簡単な説明】
【０００８】
【図１】本発明の第１実施形態に係る防水スイッチを備えた操作装置の正面図。
【図２】図１中Ａ−Ａ線の断面図。
【図３】同実施形態のパッキン部分断面斜視図。
【図４】本発明の第２実施形態の断面図。
【図５】本発明の第３実施形態のパッキン部分断面斜視図。
【発明を実施するための形態】
【０００９】
本発明の第１実施形態に係る防水スイッチ１を、図面を参照して説明する。
【００１０】
防水スイッチ１は、操作装置２などの機器に取り付けられている。防水スイッチ１は、ノブ３と、スイッチユニット４と、ケース５と、パッキン６とを少なくとも備えている。なお、７は、回路基板である。
【００１１】
ノブ３は、合成樹脂からなり、円形の円板部３１と、円板部３１の中央部分に設けた突部３２と、円板部３１の中央と周縁部分の中間位置に設けた第１の円筒部３３と、円板部３１の周縁部分に設けた第２の円筒部３４とを備えている。
【００１２】
また、ノブ３には、ノブ３とは別部品からなる係止部材８が固定されている。この係止部材８は、合成樹脂からなり、円筒形状の固定部８１と、この固定部８１の下端に環状の円板部８２と、円板部８２の周辺部分に係止部８３とを備えている。
【００１３】
係止部材８の固定部８１は、円筒形状であり、断面形状が円形の外周を有している。そして、この固定部８１が、ノブ３の第１の円筒部３３の外周に固定されている。固定方法は、本実施形態では、溶着である。パッキン６は、固定部８１に嵌め込まれている。
【００１４】
円板部８２は、環状であり、固定部８１の円筒形状の貫通方向と垂直に交差する方向に突出している。この円板部８２が、パッキン６の抜けを防止するパッキン当接部の機能を果たしている。
【００１５】
係止部８３は、ケース５に係止する係止爪８４を先端に備えた弾性を有する弾性片８５で構成されている。係止部８３は、本実施形態では、８つ設けられており、前述したように、円板部８２の周辺部分から一体に形成されている。係止部８３の間隔は、円板部８２の周囲に均等な間隔を空けて設けられている。
【００１６】
突部３２は、その断面形状が矩形であり、スイッチユニット４に設けた凹部４１に挿入されて連結されており、ノブ３の回転操作やプッシュ操作が、スイッチユニット４に伝えられる。
【００１７】
スイッチユニット４は、前述したように、回転操作やプッシュ操作可能であり、回路基板７に実装されている。
【００１８】
ケース５は、合成樹脂からなり、スイッチユニット４や回路基板７を内蔵するものである。ケース５は、円筒部５１を備えている。
【００１９】
パッキン６は、ノブ３とケース４との間に設けられており、ゴムなどの弾性を有する弾性体で形成されている。パッキン６は、環状のベース部６１と、ベース部６１の外側の側面から突出形成した舌片６２とを備えている。ベース部６１は、ノブ３の円板部３１の内面と、係止部材８の円板部８２によって挟持されて固定されている。
【００２０】
舌片６２は、ベース部６１の外側の側面に切れ目なく設けられている。そして、舌片６２は、ケース５の円筒部５１の上端に接するものである。舌片６２は、ノブ３をケース５に組み付ける前は、ベース部６１の環状の孔の方向に対して、垂直方向に延びているが、ノブ３をケース５に組み付けると、図２に示すように、ケース５の円筒部５１の上端に接して変形し、上側を向いた状態となる。また、ノブ３を押す、プッシュ操作時の舌片６２の変形は、防水性能には影響を与えない程度の変形である。
【００２１】
係止部８３は、ケース５の円筒部５１に係止しており、ノブ３がケース５に対して、回転と、ノブ３の突部３２の突出方向にプッシュ操作可能に設けられている。このように構成したことによって、ノブ３をケース５に対して、ノブ３の弾性片８５を変形させ、係止爪８４の係止をはずすことによって、取り外し可能に取り付けることができる。
【００２２】
以上のように構成したことによって、回転操作する際に必要な力を小さくし、かつ良好な防水性を備えた防水スイッチを提供することができる。
【００２３】
また、舌片６２が、ケース５の円筒部５１に接することによって、ノブ３とケース５との間から液体が浸入することを抑制することができる。
【００２４】
また、パッキン６の舌片６２をベース部６１の下端から突出させたことによって、舌片６２が、ケース５の円筒部５１に接して変形する距離を、ベース部６１の下端側から確保することができ、ノブ３のプッシュ操作方向の大きさを抑えることができる。
【００２５】
次に本発明の第２実施形態を図４を用いて説明する。なお、第１実施形態と同一および相当箇所には、同一符号を付し、その詳細な説明は省略する。
【００２６】
第１実施形態では、ノブ３をケース５に、回転とプッシュ操作可能に係止するために、ノブ３に係止部８３を備えた係止部材８を備えていたが、本実施形態に限定されていたが、第２実施形態では、ノブ３の係止部材８の端部に、抜け止め部材９が固定されている。この抜け止め部材９は、金属製で環状をしている。抜け止め部材９は、係止部材８の円板部８２の周辺部分に形成した円筒形の取付部８６の端部に設けた保持部８７を熱によって変形することで固定されている。抜け止め部材９は、ノブ３をケース５から抜き取る方向に引いた場合に、ケース５の円筒部５１の周囲に接触し、ノブ３の抜けを防止するものである。
【００２７】
以上のように構成したことによって、ノブ３をケース５に対して、取り外し不可能に取り付けることができる。
【００２８】
次に本発明の第３実施形態を図５を用いて説明する。前記各実施形態では、パッキン６の舌片６２をベース部６１の下端から側方に突出させたものであったが、図５で示すように、舌片１６２をベース部１６１の中程から側方に突出させたものである。このようなパッキン１６であっても、ケース５の円筒部５１に接して変形し、防水性能を確保することができる。
【００２９】
また、前記各実施形態では、ノブ３と係止部材８とを別々の部品を固定したものであったが、ノブ３と係止部材８とを一体に形成したものであっても良い。
【産業上の利用可能性】
【００３０】
本発明は、防水スイッチ、特に、プッシュスイッチ機能と回転機能を備えた防水スイッチに利用可能である。
【符号の説明】
【００３１】
１    防水スイッチ
２    操作装置
３    ノブ
４    スイッチユニット
５    ケース
６、１６    パッキン
７    回路基板
８    係止部材
９    抜け止め部材
３１    円板部
３２    突部
３３    第１の円筒部
３４    第２の円筒部
４１    凹部
５１    円筒部
６１、１６１    ベース部
６２、１６２    舌片
８１    固定部
８２    円板部
８３    係止部
８４    係止爪
８５    弾性片
８６    取付部
８７    保持部
【図１】
2015088348.tif 000003
【図２】
2015088348.tif 000004
【図３】
2015088348.tif 000005
【図４】
2015088348.tif 000006
【図５】
2015088348.tif 000007